(57)【特許請求の範囲】
【請求項１】
入出力バスと、該入出力バスに接続され、通信線で接続された他の装置とデータやコマンドの送受信を行う通信装置と、前記通信装置で受信したコマンドを解釈実行するコマンド処理装置とを含むコンピュータと、
前記入出力バスに接続され、前記通信装置で受信した圧縮データをもとの画像データにもどす復元装置と、
前記復元装置からの復元画像を少なくとも２画面分記録する複数の画像メモリと、
前記複数の画像メモリから前記復元画像を読み出し、該読み出された復元画像に対し所定の加工処理をして表示信号に変換するビデオ処理装置と、
前記ビデオ処理装置の出力をカラー画像として表示する表示装置と、
前記復元装置、複数の画像メモリ、ビデオ処理装置が接続される画像データ専用バスと、
前記画像データ専用バスよりも高い転送レートを有し、前記複数の画像メモリと前記ビデオ処理装置とを接続する信号線とを備え、
前記通信装置で受信した前記コマンドは、前記入出力バスを介して前記コマンド処理装置に転送され、前記コマンド処理装置は前記コマンドを解釈して、前記通信装置、復元装置、ビデオ処理装置の動作を制御し、
さらに、前記通信装置で受信した前記圧縮データは、前記入出力バスを介して前記復元装置に転送され、前記復元装置は前記画像データ専用バスを介して、復元した画像データを前記画像メモリに記録し、前記複数の画像メモリからの前記複数の復元画像データは、前記画像データバスによる前記複数の画像メモリへのアクセスと並行して、前記専用の信号線を介して前記ビデオ処理装置に転送され、前記ビデオ処理装置でビデオ処理され後に、前記表示装置で表示される画像表示装置。
【請求項２】
請求項１記載の画像表示装置であって、前記入出力バスに音声処理装置を接続し、前記コマンド処理装置の制御にしたがって、前記通信装置で受信した音声データや音声圧縮データを音声データに変換し、再生する画像表示装置。
【請求項３】
請求項１記載の画像表示装置と、前記通信装置と前記コマンド処理装置を搭載したファイル記録装置とを前記通信線で接続したコンピュータシステムであって、
前記ファイル記録装置には少なくとも圧縮画像が記録されており、前記画像表示装置から圧縮画像を転送する要求である画像転送コマンドが通信線を通して送られてくると、前記通信処理装置で受け取り、前記コマンド処理装置でコマンドが解釈実行されファイル記録装置から圧縮画像が前記画像処理装置に転送され、前記ファイル記録装置から通信線を通して送られてきた圧縮画像は伸長されて表示されることを特徴とした画像表示装置。
【請求項４】
入出力バスと、該入出力バスに接続され、通信線で接続された他の装置とデータやコマンドの送受信を行う通信装置と、前記通信装置で受信したコマンドを解釈実行するコマンド処理装置と、圧縮画像が検索条件付きで記録されたデータベースを含むコンピュータと、
前記データベースを検索して検索条件に合う圧縮画像等を読み出すデータベース処理装置と、
前記入出力バスに接続され、前記通信装置で受信した圧縮データやデータベースに記録された圧縮データをもとの画像データにもどす復元装置と、
前記復元装置からの復元画像を少なくとも２画面分記録する複数の画像メモリと、
前記複数の画像メモリの少なくとも２画面分の画像を同時に読み出し、該読み出された復元画像に対し所定の加工処理をしてて画像の比較演算を行う画像比較演算処理装置と、
前記復元装置、複数の画像メモリ、画像比較演算処理装置が接続される画像データ専用バスと、
前記画像データ専用バスよりも高い転送レートを有し、前記複数の画像メモリと前記画像比較演算処理装置とを接続する信号線とを備え、
前記通信装置で受信した画像検索コマンドは、前記入出力バスを介して前記コマンド処理装置に転送され、前記コマンド処理装置は前記画像検索コマンドを解釈して、一緒に送られてきた検索条件となる圧縮画像を前記復元手段で復元して、複数の画像メモリに検索条件画像として書き込み、
ａ）前記コマンド処理装置は、前記データベース処理装置に検索対象となる画像を要求し、データベース処理装置から読み出された圧縮画像を前記復元手段で復元して、前記検索条件画像の書き込まれていない他の画像メモリに比較画像として書き込む。
ｂ）前記画像比較演算処理装置は、前記検索条件画像と新たに書き込まれた前記比較画像を同時に読み出して比較演算処理を行い２つの画像が検索条件に該当するか報告する。
以上、ａ、ｂの処理を検索対象となる画像が無くなるまで繰り返して、検索条件画像の検索条件に合う画像を検索して、検索結果を報告することを特徴とする画像表示装置。
【請求項５】
請求項４記載の画像表示装置であって、前記画像検索コマンドで検索条件に２枚以上の画像を指定して、前記複数の画像メモリの２画面以上に２枚以上の検索条件画像を書き込み、
ａ）前記コマンド処理装置は、前記データベース処理装置に検索対象となる画像を要求し、データベース処理装置から読み出された圧縮画像を前記復元手段で復元して、前記検索条件画像の書き込まれていない他の画像メモリに比較画像として書き込む。
ｂ）前記画像比較演算処理装置は、２画面以上の前記検索条件画像と新たに書き込まれた前記比較画像を同時に読み出して比較演算処理を行い３画面の画像が検索条件に該当するか報告する。
以上、ａ、ｂの処理を検索対象となる画像が無くなるまで繰り返して、検索条件画像の検索条件に合う画像を検索して、検索結果を報告することを特徴とする画像表示装置。
【請求項６】
請求項４記載の画像表示装置であって、前記入出力バスに音声比較演算処理装置を接続し、前記通信装置で受信した音声検索コマンドは、前記入出力バスを介して前記コマンド処理手段に転送され、前記コマンド処理装置は前記音声検索コマンドを解釈して、一緒に送られてきた検索条件となる音声を前記音声比較演算処理装置に検索条件音声として書き込み、
ａ）前記コマンド処理装置は、前記データベース処理装置に検索対象となる音声を要求し、データベース処理装置から読み出された音声を前記音声比較演算処理装置に比較音声として書き込む。前記音声比較演算処理装置は前記検索条件音声と比較音声との比較演算処理を行い２つの音声が検索条件に該当するか報告する。
以上、ａの処理を検索対象となる音声が無くなるまで繰り返して、検索条件音声の検索条件に合う音声を検索して、検索結果を報告することを特徴とする画像表示装置。
【請求項７】
入出力バスと、該入出力バスに接続され、通信線で接続された他の装置とデータやコマンドの送受信を行う通信装置と、前記通信装置で受信したコマンドを解釈実行するコマンド処理装置と、を含むコンピュータと、
前記入出力バスに接続され、前記圧縮データをもとの画像データにもどす復元装置と、
前記復元装置からの復元画像を少なくとも２画面分記録する複数の画像メモリと、
前記複数の画像メモリから前記復元画像を読み出し、該読み出された復元画像に対し所定の加工処理をしてて表示信号に変換するビデオ処理装置と、
前記ビデオ処理装置の出力をカラー画像として表示する表示装置と、
前記復元装置、複数の画像メモリ、ビデオ処理装置が接続される画像データ専用バスと、
前記画像データ専用バスよりも高い転送レートを有し、前記複数の画像メモリと前記ビデオ処理装置とを接続する信号線と、
前記複数の画像メモリに記録された画像の編集加工を行う画像編集装置と、
前記画像編集装置により制御される画像入力装置や画像印刷装置とを備え、
前記通信装置で受信した前記コマンドは、前記入出力バスを介して前記コマンド処理装置に転送され、前記コマンド処理装置は前記コマンドを解釈して、前記通信装置、復元装置、ビデオ処理装置や画像編集装置の動作を制御し、
ａ）前記画像編集装置は、前記画像入力装置を制御して画像を取り込んで複数の画像メモリに記録する。
ｂ）前記通信装置で受信した前記圧縮データは、前記入出力バスを介して前記復元装置に転送され、前記復元装置は前記画像データ専用バスを介して、復元した画像データを前記画像メモリ手段に記録する。
ｃ）前記画像編集装置は、前記コマンド処理装置に制御されて、複数の画像メモリに記録された画像の加工編集を行う。
ｄ）前記画像メモリに記録され編集された画像は前記専用の信号線を介して前記ビデオ処理装置に転送され、前記ビデオ処理装置でビデオ処理され後に、前記表示装置で表示される。
ｅ）前記複数の画像メモリに記録され編集された画像は、前記画像編集装置で読み出されて、前記画像印刷装置で印刷される。
ｆ）前記複数の画像メモリに記録され編集された画像は、前記コマンド処理装置で読み出されて、前記通信装置を用いて他の装置に転送される。
以上、ａ、ｂ、ｃ、ｄ、ｅ、ｆの処理を画像に対して行うことにより通信線を用いた画像の入力、編集、印刷を行うことを特徴とする画像表示装置。
【請求項８】
請求項７記載の画像表示装置であって、前記入出力バスに音声編集装置を接続し、前記音声編集装置に音声入力装置と音声出力装置を接続し、前記コマンド処理装置の制御にしたがって、前記音声入力装置で入力された音声や前記通信装置で受信した音声を前記音声編集装置で音声編集を行うことを特徴とする画像表示装置。
【請求項９】
請求項７記載の画像表示装置であって、前記入出力バスにマルチメディア編集装置を接続し、前記マルチメディア編集装置で前記画像編集装置や前記音声編集装置を制御して、画像や音声の再生の手順を制御するシナリオの編集を行うことを特徴とする画像表示装置。
【発明の詳細な説明】
【０００１】
【発明の属する技術分野】
本発明は、画像の表示装置に関し、特に、美術館、博物館、放送局、出版社、映像プロダクション、写真スタジオ、官公庁及び一般企業の広報部門等のように写真、イラスト、絵画等の自然画像を制作、保管、再利用する業務に適した画像の表示装置に関する。
【０００２】
【従来の技術】
従来は、写真、絵画等の自然画像を計算機の中に取り込み、必要に応じて再生表示する手段として、光や磁気を利用した大容量記録媒体を中心にした専用装置が多かったが、最近は、パーソナルコンピュータ（以下、パソコンもしくはＰＣと称する）の処理能力や表示能力の向上にともない、ＰＣと光磁気ディスクを組み合わせたシステムが用いられ始めている。本発明の画像表示装置の公知技術としては、「展示型ハイビジョン静止画システムの技術ガイドライン」（ＨＶＣ規格）として普及している静止画システムがあり、このシステムにあっては、予め３画面（Ａ面，Ｂ面，Ｃ面）の静止画データをメモリ内に用意しておき、表示画面の切り換え（ディゾルブ、ワイプ等）、２画面の同時表示等を行うことによってプレゼンテーション効果を高めることができる。このような画像システムは、大別すると以下の２種類に区分される。
【０００３】
（１）自然画メモリ基板標準バス接続方式
本方式は、ＰＣ又はワークステーションの拡張スロット（標準バス）に、自然画対応の処理回路、メモリ、表示制御回路等を搭載した自然画メモリ基板を追加することによって実現する方式である。この方式は、例えば、"Presention System using High Definition Still Picture System"、by H.Okamoto et al,テレビジョン学会誌，vol.47,No.12,pp.1669-1672,1993に開示されている。
（２）自然画メモリユニット入出力インターフェース接続方式
本方式は、ＰＣとは別の独立した筐体として、自然画対応の処理回路、メモリ、表示制御回路を内蔵した自然画メモリユニットを設け、両者の間を標準的な入出力インターフェース（ＲＳ２３２−Ｃ，ＳＣＳＩ等）で接続することによって実現する方式である。この方式は、例えば、"Moring Picture Storage & Pisplay System for Super-High-Definition Images",by O.Tanno et al,テレビジョン学会誌，vol.47,No.6,pp.909-910,1993,特開昭３−１７９４９３号公報に開示されている。
【０００４】
【発明が解決しようとする課題】
上記の従来技術のうち、（１）の自然画メモリ基板標準バス接続方式では、ＰＣ標準バスでのデータ転送スループット（数ＭＢ／秒）は、圧縮された画像データとそれを伸長した画像データとが同じＰＣ標準バスを共用して転送されるため、データ転送スループットが遅くなり、展示型ハイビジョン静止画ファイルの運用規格（ＨＶＣ規格）で規定された表示効果（画面読み出し時間＜２秒、ワイプ／ディゾルブ等＜０．５秒）を高速で実現できないと言う問題点がある。さらに、（２）の自然画メモリユニット入出力インターフェース接続方式では、ＰＣと自然画メモリユニットが別筐体になっているため、自然画メモリユニットに付属している周辺機器を稼働させるために専用の制御ソフトウェアを作成する必要があった。また、周辺機器が高速になるなどの機能拡張や性能向上が図られた場合、その都度、専用制御ソフトウェアを作成しなくてはならなかった。さらにＰＣと自然画メモリユニットが別筐体になっているため、ハードウェアの設置占有面積が増大するという欠点があった。
本発明は、上記問題点を解決した画像表示装置を提供することを目的とする。本発明は、高速な画像装置を提供することを別の目的とする。
【０００５】
【課題を解決するための手段】
本発明の画像表示装置は、発明の一側面によれば、入出力バス（システムバス）に接続され、圧縮されたディジタルデータとして複数枚の画像を記憶するファイル装置を有するコンピュータと、該ファイル装置から出された圧縮データをもとの画像にもどす復元装置と、該復元装置からの復元画像を少なくとも２画面分記憶する複数の画像メモリ手段と、該複数の画像メモリから該復元画像を読み出し表示用の信号に変換するビデオ処理装置と、該ビデオ処理装置の出力をフルカラーの画像として表示する表示装置とを備える。
【０００６】
そして、該ファイル装置からの該圧縮データをコンピュータの標準的な入出力バスであるシステムバスを介して該復元装置に転送し、該復元装置は画像データ専用バスを介して伸長した画像データを画像メモリ装置に転送し、該画像メモリ装置からの表示データは専用の信号線を介して該ビデオ処理装置に転送し、大画面ディスプレイに高速で画像を表示させる。
好ましくは、コンピュータと、復元装置と、画像メモリと、ビデオ処理装置は同一筐体内に収納される。
【０００７】
【発明の実施の形態】
以下に、図１から図２０を用いて本発明の実施例について説明する。
図１は本発明の画像表示装置の一実施例のシステム構成を示すブロック図である。
全体を符号１で示す本発明の画像表示装置は、コンピュータシステム１００と、画像処理部５００を備え、大画面ディスプレイ７００に画像を表示する。コンピュータシステム１００は、例えば、ワークステーション、ディスクトップ型パソコンその他の小型コンピュータをコンピュータ本体として有するコンピュータシステムである。
大画面ディスプレイ７００としては、分解能１２８０×１０２４ドット、１６００×１２００ドット及び１９２０×１０３５ドットなどを有する高精細ディスプレイがあるが、本実施例においては、分解能１２８０×１０２４ドットの表示画像を毎秒７２回のノンインターレースを行うことで、ちらつきのない高精細のフルカラー画像を得ている。なお、この大画面ディスプレイ７００は、直視型ディスプレイはもちろんのこと、ちらつきの発生を許すならばインターレース方式のものであってもよい。
【０００８】
次にコンピュータシステム１００の構成を以下に説明する。
コンピュータシステム１００は、中央処理部として機能する、例えばパソコンからなるコンピュータ本体２００を有し、コンピュータシステム１００の全体は、コンピュータの入出力バスであるシステムバス１５０で結ばれる。コンピュータ本体２００と、インターフェース３１０，３５０と画像処理部５００は、同一の筐体に収納される。さらに、コンピュータ本体２００と、インターフェース３１０，３５０と画像処理部５００と、磁気ディスク２６０と、光磁気ディスク装置３００と、ＣＤ−ＲＯＭ装置３６０を同一の筐体に収納して、コンピュータシステム１００で情報再生に必要なメディアを同一筐体に挿入できる構成をとってもかまわない。
【０００９】
コンピュータ本体２００は、高速なメモリバス２１５を介して相互接続されたＣＰＵ２１０と主メモリ２２０を有し、ＣＰＵ２１０はシステムバス１５０に接続される。システムバス１５０に接続されるグラフィックメモリ２３０は、グラフィックデータを格納し、グラフィックメモリ２３０に接続されるグラフィックディスプレイ２４０（例えば、１７インチのディスプレイ）に対して、図示しないＤ／Ａコンバータを介してグラフィックデータを転送し、表示する。
磁気ディスク２６０は、入出力インタフェース２５０を介してシステムバス１５０に接続される。
入力手段としては、キーボード又はマウス２８０を有し、これはインターフェース２８５を介してシステムバス１５０に接続される。また、図示しないリモコンユニットからの信号を受ける赤外受光ユニット２７０を有し、これはインターフェース２７５を介してシステムバス１５０に接続される。
【００１０】
光磁気ディスク装置３００は、光磁気ディスクに記録された静止画もしくは動画の画像データをインターフェース３１０を介してシステムバス１５０に供給する。
光磁気ディスクに記録された静止画像データを大画面ディスプレイ７００に表示する際には、画面に同期した説明や音楽等を出力してプレゼンテーション効果を高める。これらの音声データはＣＤ−ＲＯＭで用意され、ＣＤ−ＲＯＭ装置３６０で再生される。ＣＤ−ＲＯＭ装置３６０はインターフェース３１０を介してシステムバス１５０に接続されて制御される。再生された音声データは図示しないアンプに送られ、図示しないスピーカから出力される。
インターフェース３５０を介してシステムバス１５０に接続されるスキャナ３３０は、例えば４００ＤＰＩの分解能を有し、後述する原画から画像データを入力する際に使用され、フルカラープリンタ３４０は、静止画像をフルカラー（１６７７万色）でプリントする。
例えば、画像メモリ６１０，６２０，６３０に格納されて大画面ディスプレイ７００に表示された画像をプリントする場合には、画像メモリ６１０，６２０，６３０からのデータは、イメージバス５５０、画像メモリリード／ライト制御装置５２０、システムバス１５０を介して主メモリ２２０へ送られる。この主メモリ２２０へ送られた画像データは、Ｒ，Ｇ，Ｂに分解されたデータであるので、このデータはプリント用のＹ，Ｍ，Ｃ，Ｋ（イエロー，マゼンダ，シアン、ブラック）のデータに変換され、システムバス１５０、ＳＣＳＩ３５０を介してフルカラープリンタ３４０へ送られてプリントが実行される。
【００１１】
次に原画から光磁気ディスクに画像データを記録するまでのプロセスについて、図２と図３を用いて説明する。
図２は光磁気ディスクに記録される画像表示データの作成プロセスを示す説明図である。
まず、素材となる原画８００を例えば４×５インチのポジフィルムの形式で用意する。この原画８００は、例えば、シワ８０１、キズ８０２、シミ８０３等を含む場合がある。つぎに、この原画８００を分解能の高いスキャナー８１０により入力し、磁気テープ８２０又は光磁気ディスク８２５に記録する。スキャナー８１０としては、例えば１０００ｄｐｉの分解能を有するスキャナーが利用される。そして、磁気テープ８２０又は光磁気ディスク８２５内には、例えば、６０ＭＢ／原画１枚の容量でディジタル化された画像の一次データが記録される。
【００１２】
次に、画像の一次データが記録された磁気テープ８２０又は光磁気ディスク８２５をパソコン又はワークステーション８３０の磁気テープデッキ８３２又は光磁気ディスクドライブ８３５に搭載して一次データの処理を実行する。
一次データの処理としては、圧縮処理の他に、画像の輪郭強調、色補正、原画上の汚れやシミの除去等、画像品質の向上や画像表示の目的に応じて種々の処理ソフトが使用できる。
修正の方法としては、例えば原画８００上のシワ８０１、キズ８０２、シミ８０３を除去する修正等、原画像の一部を変更することもできる。
以上の処理を施された画像の二次データは、光磁気ディスク８５０内に記録される。画像の二次データは、例えば１２８０×１０２４ドットの表示画面の場合に、例えば、０．６ＭＢ／原画１枚の容量となり、一次データに比べて１／１００に圧縮される。
【００１３】
図３は、光磁気ディスク８５０内に記録される画像ファイルのデータ内容を示す説明図である。
画像ファイル８６０には、原画の一次データを処理したいくつかのデータが記録される。第１の画像データ８６１は、原画の一次データを１／１００に圧縮したデータであり、第２の画像データ８６２は、原画の一部分を拡大した部分拡大データ（Ａ）であり、第３の画像データ８６３は原画の他の部分を拡大した部分拡大データ（Ｂ）である。第４の画像データ８６４は原画の背景色を変更したデータであり、第５の画像データ８６５は原画を部分的に修正したデータである。また、第６のデータ８６６はシナリオデータ（制御データ）であって、画像データや音声データをいつ再生するか、また、この再生をどれだけの時間続けるか、さらにその切り換え方式等を再生シーケンスとして指定するための制御プログラムである。
【００１４】
各画像データのレコード長は、それぞれ異なるが、平均して１枚の画像データが０．６ＭＢの容量をとるものとすると、６００ＭＢの容量をもつ光磁気ディスク１枚に約１０００枚の二次画像データを収容することができる。
以上のプロセスにより、予め処理された画像データを記録した光磁気ディスク８５０が、本発明の画像表示装置１の光磁気ディスク装置３００に装填される。
【００１５】
次に本発明の主要構成要素である画像処理部について図１，図３，図４，図５，図８を用いて説明する。
図１の破線で囲んで示す画像処理部５００は、コンピュータ本体２００の主メモリ２２０に格納された画像処理プログラム９２０（本発明による画像表示装置用に別途作成される）により全体の動作が制御されるもので、システムバス１５０に接続される圧縮／伸長器５１０と、画像メモリリード／ライト制御器５２０を備える。
【００１６】
図８は、画像処理装置５００を機能させるための画像処理プログラム９２０の機能構成図である。
画像処理プログラム９２０は、スキャナからの画像データ読み込み、読み込んだ画像データの加工処理／記録、画像データと音声データによる再生シナリオ作成／編集／記録、記録シナリオによる画像／音声の再生／表示など、画像処理応用プログラム９１０によって起動され、画像処理部５００を制御するプログラムである。
画像処理プログラム９２０は、圧縮／伸長制御部９３０、画像メモリ制御部９４０及びビデオ制御部９５０からなり、更に、それぞれの制御部は、コマンド判定部９３１，９４１，９５１、機能単位の処理部９３２〜９３３、９４２〜９４３、９５２〜９５３、及びそれぞれのハードウェアに対するドライバ９３４，９４４，９５４からなっている。
【００１７】
圧縮／伸長制御部９３０は、画像処理応用プログラム９１０からの画像データの圧縮又は伸長処理の要求によって起動され、圧／伸コマンド判定部９３１によって圧縮伸長処理モジュール９３２〜９３３の中の該当する処理プログラムが選択され、圧縮伸長ドライバ９３４を介して画像処理部５００の圧縮／伸長部５１０を駆動する。
画像メモリ制御部９４０は、画像処理応用プログラム９１０からの画像メモリ６１０〜６３０の中にある画像データの読み出し又は書き込み要求によって起動され、メモリＲ／Ｗコマンド判定部９４１によって処理モジュール９４２〜９４３の中の該当する処理プログラムが選択され、画像メモリドライバ９４４を介して画像処理部５００の画像メモリＲ／Ｗ制御器５２０を駆動する。
【００１８】
ビデオ制御部９５０は、画像処理応用プログラム９１０からのビデオ処理部６５０における表示画像データへの加工処理要求によって起動され、ビデオ制御コマンド判定部９５１によって処理モジュール９５２〜９５３の中の該当する処理プログラムが選択され、ビデオ処理ドライバ９５４を介して画像処理部５００のビデオ処理部６５０を駆動する。
圧縮／伸長器５１０は、コンピュータ本体２００の主メモリ２２０に格納された画像処理プログラムによって動作が制御され、光磁気ディスクに記録された圧縮された画像データを伸長して画像メモリに格納する機能と、この逆の画像メモリからの画像データを光磁気ディスクに記録するための圧縮機能を有する。
伸長機能については、例えば、０．６ＭＢ／原画１枚を３ＭＢ／原画１枚に伸長し、圧縮機能については、この逆となる。
また、この圧縮／伸長器５１０は、システムバス１５０とイメージバス５５を直結すべく圧縮／伸長を行わないスルー機能を有する。
【００１９】
この画像処理部５００は、システムバス１５０とは分離され、かつ、そのデータ転送レート（例えば、１６ＭＢ／Ｓ，３２ＭＢ／Ｓ）よりも高速のデータ転送レート（例えば、システムバス１５０の転送レートの約２〜４倍の６０ＭＢ／Ｓ）を有する画像データ用の専用バス（イメージバスと称する）５５０を備え、圧縮／伸長器５１０と、画像メモリリード／ライト制御器５２０は、このイメージバス５５０に接続される。
イメージバス５５０に対して、それぞれデュアルポート型のビデオＲＡＭ素子から構成される３個の画像メモリ６１０，６２０，６３０が接続されている。各画像メモリ６１０，６２０，６３０は１２ＭＢの容量を有しており、例えば、１２８０×１０２４ドット／１画面のディスプレイの場合、３バイト／１ドットを割当てることにより、４画面分の画像データを格納できる。この４画面分の画像データとしては、原画の４つ切りの部分図を図３のような部分拡大データとして格納したり、あるいは掛け軸のような細長い原画を複数枚に区切って格納することができる。
【００２０】
図４は、画像メモリリード／ライト制御器５２０の具体的な回路構成を示すブロック図である。
画像メモリリード／ライト制御器５２０はパソコンバスインターフェース５２２と、リード／ライトアドレスコントローラ５３０と、ライトデータバッファ５２４と、リードデータバッファ５２６と、イメージバスインターフェース５３２と、表示アドレス発生回路５４０を有する。
この画像メモリリード／ライト制御器５２０は、コンピュータ本体２００内の主メモリ２２０に格納された画像処理プログラムによって動作が制御される。
【００２１】
コンピュータ本体用バスインターフェース５２２は、システムバス１５０に接続されており、画像処理プログラムによって主メモリ２２０のデータを、ライトデータバッファ５２４、イメージバスインターフェース５３２を介して、イメージバス５５０へ出力され、画像メモリ６１０，６２０，６３０へ格納される。
画像メモリ６１０，６２０，６３０から読み出された画像データは、イメージバス５５０、イメージバスインターフェース５３２へ入力し、リードデータバッファ５２６を介してコンピュータ本体用バスインターフェース５２２へ送られる。このリードデータは、主メモリ２２０に格納される。
【００２２】
一方、リード／ライトアドレスコントローラ５３０は、画像メモリ６１０，６２０，６３０の所定の領域に対して、リード／ライトするアドレスを連続的に発生する機能を有する。さらに、リード／ライトアドレスコントローラ５３０は、画像メモリ６１０，６２０，６３０をコンピュータシステム１００の主メモリ２２０の拡張メモリとして利用するための図示しないアドレス変換器（アドレス変換機能）を備える。即ち、このアドレス変換機能によって、画像メモリ６１０，６２０，６３０は主メモリ２２０と同じアドレス空間に配置される。この拡張メモリとしての利用は、全体で３６ＭＢの容量を備える画像メモリのうちの画像データを格納しないメモリエリアを有効利用することができるため、画像メモリの利用率を向上させ、画像表示装置全体の利用効率が向上する。
画像メモリ６１０，６２０，６３０を拡張メモリとして使用する場合には、ライト時のデータは、ＣＰＵ２１０からシステムバス１５０、画像メモリリード／ライト制御手段５２０、イメージバス５５０を介して画像メモリ６１０，６２０，６３０へ送られる。リード時のデータは、この逆の経路を介してＣＰＵ２１０へ送られる。
【００２３】
表示アドレス発生回路５４０は、画像メモリ６１０，６２０，６３０に格納された画像データに対し所定の矩形領域の画像データを読み出して、ディスプレイ表示させるための連続したアドレスを発生させる機能を有する。このため、矩形領域の指定によっては、複数画面の領域にまたがったディスプレイ表示も可能であり、原画の任意領域をウィンド表示させたり、スクロール表示させたりすることができる。なお、この表示アドレスは信号線５４１，５４２，５４３を介して画像メモリ６１０，６２０，６３０に供給される。
【００２４】
図５は、ビデオ処理器６５０の具体的な回路構成を示すブロック図である。
ビデオ処理器６５０は、ウインド制御回路６５２と、画面選択回路６５４と、画面混合回路６５６と、Ｄ／Ａコンバータ６５８と、カラールックアップテーブル（ＬＵＴ）６６０を有する。
このビデオ処理器６５０は、コンピュータ本体２００内の主メモリ２２０に格納された画像処理プログラムによって動作が制御される。
【００２５】
画像メモリ６１０，６２０，６３０の画像データは、各々専用の信号線６１２，６２２，６３２を介して画面選択回路６５４へ転送される。画面選択回路６５４は、３画面のうちから２画面を選択して、画像データＰ，Ｑとして画面混合回路６５６へ転送する。この際にウインド制御回路６５２は、コンピュータ本体２００の画像処理プログラムによって発生し、システムバス１５０、画像メモリリード／ライト制御器５２０、イメージバス５５０を介して送られてくる制御データ６７０によって画面の表示領域の指定を行なう。また、ウインド制御回路６５２で表示領域を指定することによって、画面を連続して切り換えるロール機能を実現することができる。
以上が画面切り換えのロール機能であるが、もう一方の画面切り換えであるディゾルブ機能に関し説明する。
【００２６】
画面混合回路６５６は、入力される画像データＰと画像データＱを混合して、次式により画像データＸを作成する。
Ｘ＝Ｐ・α＋Ｑ（１−α）
ウインド制御回路６５２は、制御データ６７０により指令されるタイミングでαの値を０から１の間で変更する。
【００２７】
混合された画像データＸは、Ｄ／Ａコンバータ６５８でアナログビデオ信号６５９に変換され、大画面ディスプレイ７００に表示される。
このとき、αの値が１の状態では、Ｘ＝Ｐであり、画像Ｐが表示されるが、αを１から０に向けて減少させると、画像Ｐの輝度が減少し、画像Ｑの輝度が増加する。この作用により、画像Ｐはフェードアウトし、画像Ｑがフェードインするので、画像は連続的に切り換えられてディゾルブ機能が達成できる。
なお、カラールックアップテーブル６６０は、表示色の色調パラメータをＤ／Ａコンバータ６５８に送り、色調の良いフルカラー表示を達成する。
【００２８】
以上が本発明の主要構成要素である画像処理部５００の詳細であるが、コンピュータシステム１００と相俟って以下の効果を奏する。
画像メモリ６１０は、専用の信号線６１２を介してビデオ処理部６５０に接続され、また画像メモリ６２０は、専用の信号線６２２を介してビデオ処理部６５０に接続され、同様に画像メモリ６３０は専用の信号線６３２を介してビデオ処理部６５０に接続されている。そして各信号線６１２，６２２，６３２は、例えば、イメージバス５５０の転送レートの８倍の４８０ＭＢ／Ｓの転送レートを有しており、イメージバス５５０側からのアクセスに並行して、各画像メモリ６１０，６２０，６３０のデータをビデオ処理器６５０に高速転送することができる。
ビデオ処理部６５０は、各画像メモリから送られくる画像のディジタルデータをアナログデータに変換し、大画面ディスプレイ７００上に表示する。
【００２９】
以上の説明は、画像ソフトウェアを予め別のシステムで用意する場合である。
次に、この画像表示装置に装備される図１のスキャナ３３０を利用して、画像データを作成するプロセスを説明する。
スキャナ３３０は供給された原画を入力し、圧縮／伸長器５１０を介して、画像メモリ６１０，６２０，６３０に格納する。このプロセスでは、圧縮／伸長器５１０は、この画像データをスルーさせ、データの圧縮／伸長は実行しない。入力された画像データは、大画面ディスプレイ７００上で確認され、その後、圧縮／伸長器５１０により圧縮されて、システムバス１５０を介して光磁気ディスク装置３００に用意された光磁気ディスクに記録される。以上の動作は、コンピュータ本体２００内の主メモリ２２０に格納された画像処理プログラムにより制御される。尚、画像メモリからの画像データをもとに、必要に応じてシワ、キズ、シミ等を除去する処理を画像処理プログラムで行なうことができ、さらに圧縮／伸長器５１０の圧縮機能を用いることなく、画像処理プログラムのソフトウエア圧縮機能を使うこともできる。この場合には、画像メモリからの画像データを圧縮／伸長器５１０をスルーさせ、システムバス１５０を介してコンピュータ本体２００に送る。コンピュータ本体２００で処理された画像データは、システムバス１５０を介して光磁気ディスク装置３００に送られる。このようにして記録された画像データは、図３で示した画像ファイルのデータ内容と同様のデータ内容となる。
【００３０】
以上のプロセスで作成された光磁気ディスクは、光磁気ディスク装置３００に装着することによって画像データとして読みだされ、この画像データは、コンピュータシステム１００に装備されるインターフェース３１０、システムバス１５０を介し、画像処理部５００に装備される圧縮／伸長器５１０、イメージバス５５０、画像メモリ６１０，６２０，６３０、専用信号線６１２，６２２，６３２、ビデオ処理器６５０へ供給され、大画面ディスプレイ７００に表示される。
上記実施例では、光磁気ディスクに画像データや、シナリオデータ（制御データ）を記録しているが、画像データやシナリオデータ（制御データ）をＣＤ−ＲＯＭに記録して、ＣＤ−ＲＯＭ装置３６０から読み出すようにしてもかなわない。また、光磁気ディスクに記録した画像データやシナリオデータ（制御データ）を磁気ディスク２６に複写して、磁気ディスク７２から読み出すようにしてもかまわない。
【００３１】
図６は本発明の画像装置の他の実施例を示すブロック図である。
この画像表示装置１Ａは図１の画像表示装置１に比べて、以下の構成、及び、効果が異なる。
（１）圧縮／伸長器５１０、画像メモリリード／ライト制御器５２０をプログラマブルな画像処理プロセッサ５１０Ａと、ビデオ処理器６５０をプログラマブルなビデオ処理プロセッサ６５０Ａに置き換える。さらに、画像メモリ６１０，６２０，６３０に与える表示アドレスを、画像メモリリード／ライト制御器５２０から信号線５４１，５４２，５４３で供給しているのに対して、ビデオ処理プロセッサ６５０Ａから信号線６１６，６２６，６３６を介して供給する。これにより、画像処理プロセッサ５１０Ａの画像処理手順をＣＰＵ２１０で変更することにより、処理アルゴリズムの違う複数の圧縮／伸長動作を行わせたり、画像メモリリード／ライト処理をダイナミックに変更することが可能になる。
（２）画像メモリ６１０，６２０，６３０に対して、システムバス１５０から直接にアクセスするための信号線６１４，６２４，６３４を設け、主メモリと同じアドレス空間に画像メモリを配置している。これにより、画像メモリ６１０，６２０，６３０が主メモリ２２０と同じようにＣＰＵ２１０から利用できるようになり、各画像メモリの画像データを直接変更したり、画像データを格納しないメモリエリアを別の用途に利用することができる。
【００３２】
図７は本発明の画像表示の更に他の実施例を示すブロック図である。
この画像表示装置１Ｂは、図１の画像表示装置１に比べて、以下の構成が異なる。
（１）コンピュータのＣＰＵ２１０と主メモリ２２０とを接続する高速なメモリバス２１５とイメージバス５５０と、を連結する信号線５５２を設けたこと。この信号線５５２及びイメージバス５５０も又高速なものであるから、メモリバス２１５、信号線５５２及びイメージバス５５０の信号伝達路は全体として高速なデータ転送レートを有する。
（２）大画面ディスプレイ７００をグラフィックディスプレイと兼用することで、コンピュータ本体２００´では図１，６のグラフィックディスプレイ２４０をなくし、大画面ディスプレイ７００でグラフィックディスプレイ２４０の機能を実現したり、または大画面ディスプレイ７００の画面の中にグラフィックディスプレイ２４０の子画面を表示等をさせたりすること。
（３）図１の実施例では、画像メモリ６１０，６２０，６３０に与える表示アドレスを、画像メモリリード／ライト制御器５２０から供給していたのに対して、本実施例ではビデオ処理プロセッサ６５０Ａ´から信号線６１６，６２６，６３６を介して供給すること（なお、ビデオ処理プロセッサ６５０Ａ´はイメージバス５５０と信号線５５２を介しメモリバス２１５に接続されている）。これにより、コンピュータの主メモリ２２０と同じアドレス空間に画像メモリを配置することができる。
以上の構成により、画像メモリを主メモリの拡張メモリとして使用する場合等において、画像メモリに対する高速アクセスが可能となる。また、ディスプレイを１個に集約することができるため、ユーザの操作性が向上すると共にコストパフォーマンスが向上する。
【００３３】
次に本発明の画像表示装置の使い方を図１と図３を用いて説明する。
コンピュータ本体２２０´に画像処理プログラムをロードすると、グラフィックディスプレイ７００に初期画面が表示されるので、大画面ディスプレイ７００の分解能（例えば、１２８０×１０２４ドット）、ＨＶＣ規格か否か、自動モード、対話モード等の指示を行なう。
先ず対話モードについて説明する。初期画面で対話モードが指示されると、光磁気ディスク装置３００に装着された光磁気ディスクから、図３に示すメニュー表示データ８６７が読み出され、大画面ディスプレイ７００にメニューが表示される。
【００３４】
このメニューから、例えば図示しないリモコンユニットで、赤外受光ユニット２７０へ指示を送り、浮世絵や風景画、古文書などのいずれの種類を表示させるかのシナリオを選択する。この選択によって、光磁気ディスクから、シナリオデータ８６６が読みだされ、シナリオデータに対応する画像データが画像メモリ６１０，６２０，６３０に格納される。この画像データはビデオ処理器６５０によって、大画面ディスプレイ７００に表示される。一方、シナリオ選択と同時に上記画像データに対応した音声データがＣＤ−ＲＯＭ装置３６０にセットされたＣＤ−ＲＯＭから読み出され、音声が図示しないアンプを経由して、図示しないスピーカから出力される。１シナリオは複数の画像データを有しており、リモコンユニットの操作によって画面を順次切り換え表示させることができる。
この際に、シナリオデータ８６６は、光磁気ディスク装置３００からＳＣＳＩ３１０を通り、システムバス１５０を介して主メモリ２２０へ送られ、ＣＰＵ２１０でシナリオの内容が順次実行される。
【００３５】
次に自動モードについて説明する。
初期画面で自動モードが選択されると、図３に示す光磁気ディスクから、シナリオデータ（制御データ）８６６を読み出し、これに基づいて該当する画像データが画像メモリ６１０，６２０，６３０に格納され、この画像データはビデオ処理器６５０によって、大画面ディスプレイ７００に表示される。一方、シナリオ選択と同時に上記画像データに対応した音声データがＣＤ−ＲＯＭ装置３６０にセットされたＣＤ−ＲＯＭから読み出され、音声が図示しないアンプを経由して、図示しないスピーカから出力される。１シナリオは複数の画像データを有しており、シナリオデータの再生シーケンスに従って、自動的に画面を順次切り換え表示させることができる。
【００３６】
尚、コンピュータ本体２００に画像処理プログラムをロードせずに、通常のアプリケーションプログラムをロードさせる場合には、上記画像表示装置１は、当然通常のパソコンとして動作し、上記画像メモリ全体は、主メモリ２２０の拡張メモリとして利用できる。
【００３７】
また、上記シナリオデータ８６６は、画像ファイル８６０を作成する時、図３に示すように、画像データ８６１−８６５とともに光磁気ディスクに記録されるものである。
【００３８】
図９は本発明の画像表示装置の他の実施例を示すブロック図である。本実施例による画像表示装置１Ｃは図６の画像表示装置１Ａに比べて、以下の構成、動作、及び、効果が異なる。
構成の違いは、図１のパソコンシステム１００のシステムバス１５０に、通信装置１０００と、コマンド処理装置１０１０、音声処理プロセッサ１０２０が新たに追加されている。さらに、通信装置１０００はネットワーク１０３０を介して、ファイルサーバ装置１０４０に接続されている。
【００３９】
ネットワーク１０３０は複数のコンピュータ装置を相互に接続する通信網で、各コンピュータ装置にユニークなアドレス（以後、ネットワークＩＤと称す）を付けて管理することで、各コンピュータ装置間のデータ送受信を可能にしている。ネットワークの標準規格として、イーサネットやＦＤＤＩ（Fiber Distributed Data InterFace）やＡＴＭ（Asynchronous Transfef Mode）があり、通信プロトコルとしてはＴＣＰ／ＩＰ等が知られている。また、ネットワーク１０３０に接続される装置が少ない場合や通信容量が少なくてもよい場合は、ＲＳ−２３２Ｃやモデム等を用いてネットワークを構成しても構わない。
【００４０】
通信装置１０００は、送信先のネットワークＩＤとデータを受け取ると、ネットワーク１０３０用のネットワークプロトコルに合わせて、データを送信する。逆に、ネットワーク１０３０に自分宛ての（自分と同じネットワークＩＤの付いた）データが送られてきた場合は、ネットワーク１０３０用のネットワークプロトコルに従って元のデータに復元し、コマンド処理装置１０１０や画像処理プロセッサ５１０Ａや音声処理プロセッサ１０２０に転送する。
【００４１】
コマンド処理装置１０１０は、キーボード、マウス２８０からの入力や通信装置１０００からのコマンド入力を解釈して、画像処理プロセッサ５１０Ａ、ビデオ処理プロセッサ６５０Ａ、通信装置１０００、音声処理プロセッサ１０２０を制御して、入力されたコマンドを実行する。さらに、コマンド処理装置１０１０は、複数のコマンドを組み合わして、プログラム化した制御データ（以後、シナリオと称す）を読み込んで、シナリオ内の各コマンドを順番に解釈実行することで、画像表示装置１Ｃの一連の動作をシナリオにより制御することができる。
【００４２】
図１０に画像表示装置１Ｃの制御コマンドの一例を示す。各コマンドの動作は、以後の明細で行う。
ファイルサーバ装置１０４０の構成を図１１に示す。ファイルサーバ装置１０４０は、パソコン２００Ｃと通信装置１０００とコマンド処理装置１０１０で構成される。パソコン２００Ｃは図１のパソコン２００からシリアルＩＦ２７５と赤外受光ユニット２７０を除いたものである。コマンド処理装置１０１０は図１０に示したファイル操作に関するコマンド（Ｃ１９，Ｃ２０，Ｃ２１、Ｃ２２、Ｃ２３等）を解釈実行する。ファイルサーバ装置１０４０の磁気ディスク２６０には、画像、音声、シナリオのデータがファイルとして記録されており、画像表示装置１Ｃからファイル送信Ｃ２０のコマンドを受け付けると、指定されたファイルを磁気ディスク２６０から読み出して、画像表示装置１Ｃへ送信する。
【００４３】
画像表示装置１Ｃからファイル書込みＣ１９のコマンドを受け付けると、送られてきたデータをファイルとして、磁気ディスク２６０に記録する。さらに、画像表示装置１Ｃからメディア報告Ｃ２１やディレクトリ報告Ｃ２２やファイル報告Ｃ２３を受け付けると、磁気ディスク２６０のドライブ情報やディレクトリ情報やファイル情報を報告する。ファイルサーバ装置１０４０が画像表示装置１Ｃから送られてきたコマンドに対して以上の動作を行うことで、画像表示装置１Ｃからはネットワーク１０３０に接続されたファイルサーバ装置１０４０が内蔵している光磁気ディスク装置３００等のファイル記録装置と同等に扱える。
【００４４】
以上、説明したように画像表示装置１Ｃが通信装置１０００やコマンド処理装置１０１０や音声処理プロセッサ１０２０等を搭載することによって、以下の効果を実現する。
（１）  ネットワーク１０３０に接続され通信装置１０００とコマンド処理装置１０１０を備えたファイルサーバ装置１０４０等の他の装置の画像や音声やシナリオ等のファイルを自由に取り出して、画像表示装置Ｃ１で実行再生することができる。
（２）  ネットワーク１０３０に接続された通信装置１０００とコマンド処理装置１０１０を備えた他の装置からコマンドやシナリオを送信することで、画像表示装置Ｃ１の動作や機能をコントロールしたり利用することができる。
【００４５】
次に、本発明による画像表示装置を複数ネットワークに接続して、利用する場合の実施例を図１２に示す。
図１２は、本発明による画像表示装置を用いて、画像、音声、シナリオを格納したデータベースの操作やデータベースから取り出した画像、音声、シナリオの再生管理を行うマルチメディアネットワークシステム２である。ネットワーク１１００は図９のネットワーク１０３０と同等のネットワークである。画像表示装置１Ｄとマルチメディア編集装置１Ｅは、それぞれ図９の画像表示装置１Ｃにデータベース処理やマルチメディア編集処理を追加したものである。画像表示装置１Ｆ、１Ｇ、１Ｈ、１Ｊ、１Ｋは図９の画像表示装置１Ｃと同等の画像表示装置である。また、再生管理装置１１１０は図１１のファイルサーバ装置１０４０に再生管理処理を追加したものである。大画面ディスプレイ７１０、７３０は図１の大画面ディスプレイ７００と同等の大画面ディスプレイで、マルチ画面ディスプレイ７２０は、大画面ディスプレイ７００を３台つなげたマルチ画面ディスプレイで、画像表示装置１Ｇ，１Ｈ，１Ｊの表示信号をそれぞれ、１Ｇ、１Ｈ、１Ｊ表示範囲に表示する。
【００４６】
まず、図１３は図９の画像表示装置１Ｃにデータベース処理を追加したブロック図である。この画像表示装置１Ｄは図９の画像表示装置１Ｃに比べて、以下の構成、動作、及び、効果が異なる。
構成の違いは、図９のパソコンシステム１００Ｃのシステムバス１５０に、データベース処理１３００が新たに追加され、ビデオ処理プロセッサ６５０Ａと音声処理プロセッサ１０２０が画像メモリ６１０、６２０、６３０上の画像データの比較演算処理する画像比較演算プロセッサ１３１０と音声データの比較演算を行う音声比較演算プロセッサ１３２０に置き換える。また、パソコンシステム１００ＣからＳＣＳＩ３５０とスキャナ３３０とフルカラープリンタ３４０を削除している。
【００４７】
次に、データベース処理１３００の動作を図１４を用いて説明する。コマンド処理装置１０１０は、通信装置１０００で受け取ったコマンドが、新規データベース作成Ｃ２４、データベース検索Ｃ２５、データベース編集Ｃ２６、データベース登録Ｃ２７の場合は、データベース処理１３００へそれぞれ新規データベース作成要求１６００、データベース検索要求１６０１、データベース編集要求１６０２、データベース登録要求１６０３を出す。データベース処理１３００は新規データベース作成要求１６００やデータベース検索要求１６０１やデータベース編集要求１６０２やデータベース登録要求１６０３を受け取ると、それぞれ新規データベース作成処理１４００やデータベース検索処理１４０１やデータベース編集処理１４０２やデータベース登録処理１４０３を実行し、その実行結果を処理結果情報１４２０としてコマンド処理装置１０１０に返す。
【００４８】
データベース処理１３００で実行される処理の動作を、以下に説明する。
（１）  新規データベース作成処理１４００は新規の空のデータベース１４１０を磁気ディスク２６０上に作成し、その結果を返す。
（２）  データベース検索処理１４０１は、与えられた検索条件が画像の場合は、与えられた画像を画像形式や検索方法に合わせて画像処理プロセッサ５１０Ａで伸長、変換等の画像処理を行って画像メモリ６１０に書き込む。さらに、検索対象となる画像をデータベース１４１０からを読み出して、画像形式や検索方法に合わせて画像処理プロセッサ５１０Ａで伸長、変換等の画像処理を行って、あいている画像メモリ６２０、６３０へ順次書き込む。次に、画像比較演算プロセッサ１３１０は、検索条件となる画像とデータベース１４１０から読み出された画像の画素比較やパターマッチングや距離計算等の比較演算処理を行い検索条件に合うかどうかを判定して結果を返す。また、与えられた検索条件が音声の場合は、与えられた音声を音声比較演算プロセッサ１３２０へ転送し、次に検索対象となる音声をデータベース１４１０から読み出して、音声比較演算プロセッサ１３２０へ順次転送する。音声比較演算プロセッサ１３２０は転送された検索条件となる音声とデータベース１４１０から読み出された音声を比較して検索条件に合うかどうかを判定して結果を返す。されに、与えられた検索条件がテキストの場合は、図示しないテキスト比較処理で検索条件とデータベース１４１０の検索対象となるテキストやシナリオを比較して検索条件にあうかどうか判定して結果を返す。ここで、シナリオはテキストで記述してあるものとする。
【００４９】
（３）  データベース編集処理１４０２は、与えられた編集条件に従って、データベース１４１０を編集して再構成しその結果を返す。
（４）  データベース登録処理１４０３は、登録条件に従って、画像や音声やシナリオ等のデータをデータベース１４１０に登録する。また、すでに登録されている場合は、変更属性を検証した後、変更が可能であれば、そのデータを変更しその結果を返す。
ここで、画像処理プロセッサ５１０Ａを画像処理だけでなく音声処理やテキスト処理等をプログラムし、画像メモリ６１０、６２０、６３０に処理したデータを書き込み、画像比較演算プロセッサ１３１０を音声データやテキストデータを比較演算できるようにプログラムすることにより、画像処理部５００Ｄで画像、音声、シナリオ等のマルチメディアデータの検索処理を行うようにしてもよい。この場合、音声比較演算プロセッサ１３２０は不要になる。
【００５０】
以上、説明したように画像表示装置１Ｄがデータベース処理１３００や画像比較演算プロセッサ１３１０や音声比較演算プロセッサ１３２０等を搭載することによって、以下の効果を実現する。
（１）  ネットワーク１１００に接続され通信装置１０００とコマンド処理装置１０１０を備えた他の装置からデータベース１４１０があたかも自分の装置内にあるようにデータベースの作成や検索や編集や登録を行うことができる。
（２）  複数の画像メモリを用いることで２枚の画像を比較している間に、他の画像を読み出すことで高速に検索を進めることができる。また、２枚以上の画像の比較を同時に行うことができる。
（３）  圧縮画像を用いてそのまま検索できるので、ネットワーク負荷とデータベースのサイズを軽減することができる。
【００５１】
次に、図１５は図９の画像表示装置１Ｃにマルチメディア編集処理を追加したブロック図である。マルチメディア編集装置１Ｅは図９の画像表示装置１Ｃに比べて、以下の構成、動作、及び、効果が異なる。
構成の違いは、図９のパソコンシステム１００Ｃのシステムバス１５０に、マルチメディア編集処理１５００が新たに追加され、ビデオ処理プロセッサ６５０Ａと音声処理プロセッサ１０２０が画像メモリ６１０、６２０、６３０上の画像データを編集する画像編集処理プロセッサ１５１０と音声データの編集を行う音声編集処理プロセッサ１５２０に置き換える。さらに、音声編集処理プロセッサ１５２０には、音声を入力するマイクが追加されている。
【００５２】
次に、マルチメディア編集処理１５００の動作を図１６を用いて説明する。操作者はキーボード、マウス２８０を使ってマルチメディア編集処理に指示を与える。マルチメディア編集装置１５００は、シリアルＩＦ２８５経由で送られてきた操作者の指示を判定して、以下の処理を行う。
（１）  新規画像を入力編集登録する場合は、操作者は写真等の原稿をスキャナ３３０にセットし、画像入力操作を行う。マルチメディア編集装置１５００は画像入力指示を受け付けると、画像入力処理１６１０でスキャナ３３０にセットされた原稿を読み取り、使用していない画像メモリ６１０、６２０、６３０の一つに書き込む。次に操作者が画像編集操作を行うと、画像編集処理１６１２は画像編集処理プロセッサ１５１０を制御して、サイズ変換調整、輪郭強調、色補正、汚れやシミの除去等の操作者が指示した画像編集処理を行う。最後に、操作者が画像登録操作を行うと編集された画像データ１６１１は、画像登録処理１６１３で画像登録に必要な検索情報や属性情報等を付加して、データベース登録要求１６０３を、コマンド処理装置１０１０と通信装置１０００を経由して、データベース装置１Ｄに送信する。データベース装置１Ｄは、データベース登録要求１６０３を処理して編集された画像データ１６１１が登録される。
【００５３】
（２）  新規音声を入力編集登録する場合は、操作者はマイク１５３０やＣＤ−ＲＯＭ装置３６０を用いて、音声入力操作を行う。マルチメディア編集装置１５００は音声入力指示を受け付けると、音声入力処理１６２０で、マイク１５３０やＣＤ−ＲＯＭ装置３６０から入力された音声データ１６２１を取り込む。次に操作者が音声編集操作を行うと、音声編集処理１６２２は音声編集処理プロセッサ１５２０を制御して、音量や音質や再生時間等の操作者が指示した音声編集処理を行う。最後に、操作者が音声登録操作を行うと編集された音声データ１６２１は、音声登録処理１６２３で音声登録に必要な検索情報や属性情報等を付加して、データベース登録要求１６０３を、コマンド処理装置１０１０と通信装置１０００を経由して、データベース装置１Ｄに送信する。データベース装置１Ｄは、データベース登録要求１６０３を処理して編集された音声データ１６２１が登録される。
【００５４】
（３）  新規シナリオを作成編集登録する場合は、操作者は大画面ディスプレイ７００、又は、グラフィックディスプレイ２４０に表示されるシナリオ編集画面を用いて、シナリオ編集操作を行う。マルチメディア編集装置１５００は新規シナリオ作成指示を受け付けると、新規シナリオ作成処理１６３０に新規シナリオ編集画面を表示する制御を行う。新規シナリオ作成処理１６３０は、新規シナリオ編集画面を表示する。次に操作者がシナリオ編集画面に対してシナリオ編集操作を行うと、シナリオ編集処理１６３２はシナリオ編集処理を行う。最後に、操作者がシナリオ登録操作を行うと編集されたシナリオデータ１６３１は、シナリオ登録処理１６３３でシナリオ登録に必要な検索情報や属性情報等を付加して、データベース登録要求１６０３を、コマンド処理装置１０１０と通信装置１０００を経由して、データベース装置１Ｄに送信する。データベース装置１Ｄは、データベース登録要求１６０３を処理して編集されたシナリオデータ１６３１が登録される。
【００５５】
（４）  データベース１４１０に登録された画像、音声、シナリオを編集する場合は、操作者は大画面ディスプレイ７００、又は、グラフィックディスプレイ２４０に表示されるデータベース検索画面を用いて、編集したい画像や音声やシナリオを検索する。マルチメディア編集装置１５００は検索指示を受け付けると、データベース装置１Ｄに対して、データベース検索要求１６０１を送信する。データベース装置１Ｄから検索結果として、画像データ、音声データ、シナリオデータが送られてくると、それぞれ対応する画像編集処理１６１２、音声編集処理１６２２、シナリオ編集処理１６３２が処理を開始し、操作者は編集操作を行う。最後に、操作者が登録操作を行うと編集された画像データ１６１１、音声データ１６２１、シナリオデータ１６３１が画像登録処理１６１３、音声登録処理１６２３、シナリオ登録処理１６３３を経てデータベース１４１０に変更登録される。
【００５６】
（５）  データベースを作成する場合は、操作者は新規データベース作成の指示を行う。マルチメディア編集装置１５００は新規データベース作成指示を受け付けると、データベース装置１Ｄに対して新規データベース作成要求１６００を送信する。データベース装置１Ｄに新規データベース作成され、結果が報告されると新規のデータベース編集画面を表示する。さらに、データベース編集画面に対してデータベース編集操作を行と、データベース編集要求１６０２がデータベース装置１Ｄに対して送信され、データベースの編集が行われる。
【００５７】
以上、説明したようにマルチメディア編集装置１Ｅがマルチメディア編集処理１５００や画像編集処理プロセッサ１５１０や音声編集処理プロセッサ１５２０等を搭載することによって、以下の効果を実現する。
（１）  ネットワーク１１００に接続されたデータベース装置１Ｄのデータベース１４１０があたかも自分の装置内にあるように操作でき、データベース１４１０への画像、音声、シナリオの新規登録やすでに登録されている画像、音声、シナリオの編集ができる。
（２）  複数の画像メモリを用いることで２枚以上の画像間での編集処理を高速に行うことができる。
【００５８】
次に、図１７は図１１のファイルサーバ装置１０４０に再生管理処理１７００を追加したブロック図である。再生管理装置１１１０は図１１のファイルサーバ装置１０４０に比べて、以下の構成、動作、及び、効果が異なる。
構成の違いは、図１１のパソコンシステム１００Ｃのシステムバス１５０に、再生管理処理１７００が新たに追加さている。
【００５９】
次に、再生管理処理１７００の動作を図１８を用いて説明する。
まず最初に再生管理処理１７００は、ネットワーク１１００に接続されている画像表示装置を検索する。図１２の場合では、画像表示装置１Ｆ、１Ｇ、１Ｈ、１Ｊ、１Ｋの５台の画像表示装置が検索され、各画像表示装置に対応する状態管理処理１８５０、１８６０、１８７０、１８８０、１８９０を生成する。並列処理選択１８４０は、複数生成された状態管理処理１８５０、１８６０、１８７０、１８８０、１８９０やシナリオ実行処理１８１０等を順番に選択して、各処理に自分の処理を実行する処理時間を与えることで、複数の処理の並列実行と各処理間のデータの交換を可能にする。状態管理処理１８５０、１８６０、１８７０、１８８０、１８９０は、生成されると並列処理選択１８４０に選択されたタイミングで、コマンド処理装置１０１０を通して、自分の担当する画像表示装置に対して、ネットワーク接続コマンドＣ１を使ってネットワーク接続を行う。
【００６０】
次に、状態報告コマンドＣ１８を使って、接続先の画像表示装置の状態を取得し、各表示画像表示装置の状態と各表示画像表示装置が実行できるファイルの情報を装置状態情報１８５１、１８６１、１８７１、１８８１、１８９１とファイル情報１８５２、１８６２、１８７２、１８８２、１８９２として管理する。ここで、状態管理処理１８５０、１８６０、１８７０、１８８０、１８９０と接続した画像表示装置１Ｆ、１Ｇ、１Ｈ、１Ｊ、１Ｋは、自分の状態が変化した時に状態報告コマンドＣ１７を使って、自分の変化した状態を接続先の状態管理処理１８５０、１８６０、１８７０、１８８０、１８９０に報告する。これにより、状態管理処理１８５０、１８６０、１８７０、１８８０、１８９０は接続先の画像表示装置の最新の情報を保持することができる。また、シナリオ実行処理１８１０等の他の処理が、状態管理処理１８５０、１８６０、１８７０、１８８０、１８９０にコマンドやシナリオを与えると、与えられたコマンドやシナリオを自分の接続している画像表示装置に転送する。これにより、状態管理処理１８５０、１８６０、１８７０、１８８０、１８９０を使って画像表示装置１Ｆ、１Ｇ、１Ｈ、１Ｊ、１Ｋを制御することができる。
【００６１】
次に、シナリオ実行処理１８１０の説明を行う。ここで、シナリオ実行処理１８１０で実行するシナリオは、図１０に示したコマンドとそのコマンドを実行する画像表示装置のネットワークＩＤが対応付けられて記述されているものとする。操作者の指示で再生管理処理がシナリオを受け取ると、シナリオ解析処理１８００が受け取ったシナリオを解析して、シナリオの中で使用されているすべてのファイルとそのファイルを再生する画像表示装置のネットワークＩＤとを抜き出したファイルリンク情報１８０１と、コマンドと対応付けられている画像再生装置のネットワークＩＤを抜き出した実行リンク情報１８０２をシナリオ実行処理１８１０に報告する。
【００６２】
シナリオ実行処理１８１０は、ファイルリンク情報１８０１の中の画像表示装置のネットワークＩＤと対応する状態管理処理のファイル情報を取得して、ファイルリンク情報１８０１の中の対応するファイルと比較して、シナリオ再生に必要なファイルが画像表示装置に存在するか調べる。もし、必要なファイルが無い場合は、必要なファイルを対応する状態管理処理に渡す。状態管理装置は、受け取ったファイルをファイル書込みコマンドＣ１９等を用いて接続された画像表示装置に書き込む。これにより、シナリオ解析処理１８００が受け取ったシナリオが対応する状態管理処理に接続された画像表示装置で問題無く再生できるようになる。
【００６３】
さらに、シナリオ実行処理１８１０は、実行リンク情報１８０２を調べて、画像表示装置のネットワークＩＤが一つのみの場合は、受け取ったシナリオから画像表示装置のネットワークＩＤの記述を取り除いて、対応する画像表示装置に接続された状態管理処理へ渡す。これにより、シナリオ実行処理１８１０で受け取ったシナリオがネットワークＩＤで指定された画像表示装置で実行される。画像表示装置のネットワークＩＤが二つ以上の場合は、シナリオ管理１８１１へ受け取ったシナリオを登録して、以後シナリオに記述されているコマンドを実行する。
【００６４】
次に、シナリオ実行処理１８１０でシナリオ管理１８１１に登録されたシナリオを実行する場合の動作を説明する。シナリオ実行処理１８１０は、シナリオ管理１８１１に登録されているシナリオのコマンドとそのコマンドを実行する画像表示装置のネットワークＩＤを順次読み出して、ネットワークＩＤに対応する状態管理処理に読み出したコマンドを渡す。状態処理は受け取ったコマンドを接続された画像表示装置に転送する。これにより、シナリオ管理１８１１に登録されているシナリオをシナリオ実行処理１８１０が順次実行することで、画像表示装置１Ｆ、１Ｇ、１Ｈ、１Ｊ、１Ｋを制御できる。
【００６５】
ここで、図１２に示した再生管理装置１１１０がシナリオを実行することによって、画像表示装置１Ｆ、１Ｇ、１Ｈ、１Ｊ、１Ｋをどのようにして制御するか、画像表示装置１Ｆ、１Ｋを運用管理する場合と画像表示装置１Ｇ、１Ｈ、１Ｊを同期再生させる場合の説明を行う。シナリオ記述は、図１０に示したコマンドを用いて行う。また、画像表示装置１Ｆ、１Ｇ、１Ｈ、１Ｊ、１ＫのネットワークＩＤをそれぞれ１Ｆ、１Ｇ、１Ｈ、１Ｊ、１Ｋとする。
【００６６】
まず、複数の画像表示装置の運用管理を制御する運用管理シナリオの例を図１９に示す。この運用管理シナリオは、指定された時間にシナリオや画像や音声を画像表示装置１Ｆ、１Ｋで再生させる場合の例である。
（１）  再生管理装置１１１０で図１９の運用シナリオが読み込まれると、シナリオ解析処理１８００で運用シナリオが解析され、ファイルリンク情報１８０１と実行リンク情報１８０２が作成される。シナリオ実行処理１８１０は、ファイルリンク情報１８０１から画像表示装置１Ｆに画像Ａ、シナリオＡ、音声Ａが画像表示装置１Ｋに画像Ｂ、シナリオＢ、音声Ｂが存在するか調べる。無い場合は、それぞれの画像表示装置に必要な画像を書き込む。更に、実行リンク情報１８０２を調べて、この運用シナリオは２台の画像表示装置１Ｆ、１Ｋを制御しているので、読み込んだシナリオをシナリオ管理１８１１に登録する。
【００６７】
（２）  シナリオ実行処理１８１０は、シナリオ管理１８１１に登録された運用シナリオのＬ１（１行目）を読み込んで実行する。Ｌ１は、８時になったらアクションＡを実行するコマンドなので、シナリオ実行処理１８１０は、時間管理処理１８２０に８時になったらアクションＡを実行するように登録する。次にＬ２、Ｌ３を読み込んで同じように時間管理処理１８２０にアクションＢ、アクションＣを時間といっしょに登録する。Ｌ４以降は、アクションＡ、Ｂ、Ｃの関数なので関数呼び出しされるまで実行されない。以後、シナリオ実行処理１８１０は、実行するコマンドが無いので待機する。
【００６８】
（３）  時間が８時になったら、時間管理処理１８２０は、アクションＡを実行する様にシナリオ実行処理１８１０を呼び出す。シナリオ実行処理１８１０は、呼び出されるとアクションＡの中にあるコマンドを順に実行する。Ｌ５は画像表示装置１Ｆに画像Ａを表示するコマンドで、シナリオ実行処理１８１０は、状態管理処理１８５０に対して画像Ａを表示するコマンドＣ６を発行する。状態管理処理１８５０は、受け取ったコマンドを接続された画像表示装置１Ｆに転送する。これにより画像表示装置１Ｆで画像Ａが表示される。次に、Ｌ６のコマンドを読み出して、同じように実行され、画像表示装置１Ｋに画像Ｂが表示される。
【００６９】
（４）  時間が１２時になったら、時間管理処理１８２０は、アクションＢを実行する様にシナリオ実行処理１８１０を呼び出す。シナリオ実行処理１８１０は、呼び出されるとアクションＢの中にあるコマンドを順に実行する。Ｌ９は画像表示装置１ＦでシナリオＡを再生するコマンドで、シナリオ実行処理１８１０は、状態管理処理１８５０に対してシナリオＡを実行するコマンドＣ３を発行する。状態管理処理１８５０は、受け取ったコマンドを接続された画像表示装置１Ｆに転送する。これにより画像表示装置１ＦでシナリオＡが再生される。次に、Ｌ１０のコマンドを読み出して、同じように実行され、画像表示装置１ＫにシナリオＢが再生される。
【００７０】
（５）  時間が１７時になったら、時間管理処理１８２０は、アクションＣを実行する様にシナリオ実行処理１８１０を呼び出す。シナリオ実行処理１８１０は、呼び出されるとアクションＣの中にあるコマンドを順に実行する。Ｌ１３は画像表示装置１Ｆで音声Ａを再生するコマンドで、シナリオ実行処理１８１０は、状態管理処理１８５０に対して音声Ａを実行するコマンドＣ９を発行する。状態管理処理１８５０は、受け取ったコマンドを接続された画像表示装置１Ｆに転送する。これにより画像表示装置１Ｆで音声Ａが再生される。次に、Ｌ１０のコマンドを読み出して、同じように実行され、画像表示装置１Ｋに音声Ｂが再生される。シナリオ実行処理１８１０が以上の動作を行うことで、画像表示装置１Ｆ、１Ｋを制御する運用シナリオを作成して、再生管理装置１１１０の再生管理処理１７００が実行することにより、複数の画像表示装置で決められた時間に決められた画像や音声やシナリオを再生することができる。
【００７１】
次に、複数の画像表示装置の同期して再生制御する同期再生シナリオの例を図２０に示す。この同期再生シナリオは、図１２の画像表示装置１Ｇ、１Ｈ、１Ｊで画像の表示を同期させたりユーザの操作を３台の画像表示装置に反映させる場合の例である。
（１）  再生管理装置１１１０で図２０の同期再生シナリオが読み込まれると、シナリオ解析処理１８００で同期再生シナリオが解析され、ファイルリンク情報１８０１と実行リンク情報１８０２が作成される。シナリオ実行処理１８１０は、ファイルリンク情報１８０１から画像表示装置１Ｇに画像Ａと画像Ｄが、画像表示装置１Ｈに画像Ｂと画像Ｅが、画像表示装置１Ｊに画像Ｃと画像Ｆが存在するか調べる。無い場合は、それぞれの画像表示装置に必要な画像を書き込む。更に、実行リンク情報１８０２を調べて、この運用シナリオは３台の画像表示装置１Ｇ、１Ｈ、１Ｊを制御しているので、読み込んだシナリオをシナリオ管理１８１１に登録する。
【００７２】
（２）  シナリオ実行処理１８１０は、シナリオ管理１８１１に登録された同期再生シナリオのＬ１（１行目）を読み込んで実行する。Ｌ１は、画像Ａを表示するコマンドＣ６を画像表示装置１Ｇに設定するコマンドなので、シナリオ実行処理１８１０は、状態管理処理１８６０にコマンドＣ６を設定するようにコマンドを発行する。状態管理処理１８６０は、受け取ったコマンドを接続された画像表示装置１Ｇに設定する。次にＬ２、Ｌ３と読み込んで同じように実行され、画像表示装置１Ｈ、１ＪにコマンドＣ６が設定される。
【００７３】
（３）  シナリオ実行処理１８１０は、次にシナリオ管理１８１１からＬ４を読み込んで実行する。Ｌ４は、画像表示装置１Ｇ、１Ｈ、１Ｊに対して設定されたコマンドを同時に実行させるコマンドで、シナリオ実行処理１８１０は、状態管理処理１８６０、１８７０、１８８０に対して同時に同時実行コマンドＣ３０を発行する。状態管理処理１８６０、１８７０、１８８０は、コマンドを受け取ると接続された画像表示装置１Ｇ，１Ｈ、１Ｊに同時実行コマンドを転送する。これにより、画像表示装置１Ｇ，１Ｈ、１Ｊに画像Ａ、Ｂ、Ｃが同時に表示される
。
【００７４】
ここで、完全に画像表示装置１Ｇ、１Ｈ、１Ｊの同時実行を行う場合は、状態管理処理１８６０、１８７０、１８８０を通さずに、シナリオ実行処理１８１０が直接コマンド処理装置１０１０に対して、直接同時実行コマンドＣ３０を発行する。コマンド処理装置１０１０は、同時実行コマンド３０がくると、画像表示装置１Ｇ，１Ｈ、１ＪのネットワークＩＤである１Ｇ、１Ｈ、１Ｊを通信データに含めて、ネットワーク１１００に対して宛先をグローバルにして一斉通信を行う。すると、ネットワーク上のすべての画像表示装置に同じコマンドが同時に届く。この時、画像表示装置側で自分のネットワークＩＤが含まれている場合は、受け取ったコマンドを実行する。これにより、完全に同期してコマンドを実行できる。このように、同じコマンドをネットワーク１上に同時に発行する通信プロトコルとして、ＵＤＰ（User Datagram Protocol）によるネットワークＩＤをグローバルにした一斉通信がよく知られている。
【００７５】
（４）  シナリオ実行処理１８１０は、次にシナリオ管理１８１１からＬ５を読み込んで実行する。Ｌ５は画像Ｄを裏画面（表示されていない画面）読み込むコマンドＣ６を画像表示装置１Ｇ実行するコマンドなので、シナリオ実行処理１８１０は、状態管理処理１８６０にコマンドＣ６を発行する。状態管理処理１８６０は、受け取ったコマンドを接続された画像表示装置１Ｇに転送する。これにより画像表示装置１Ｇで画像Ｄが裏画面に読み込まれる。次に、Ｌ６、Ｌ７のコマンドを読み出して、同じように実行され、画像表示装置１Ｈ、１Ｊに画像Ｅ、Ｆが裏画面に読み込まれる。
【００７６】
（５）  シナリオ実行処理１８１０は、次にシナリオ管理１８１１からＬ８を読み込んで実行する。Ｌ８は、効果Ａを３秒で実行するコマンドＣ８を画像表示装置１Ｇに設定するコマンドなので、シナリオ実行処理１８１０は、状態管理処理１８６０にコマンドＣ８を設定するようにコマンドを発行する。状態管理処理１８６０は、受け取ったコマンドを接続された画像表示装置１Ｇに設定する。次にＬ９、Ｌ１０と読み込んで同じように実行され、画像表示装置１Ｈ、１ＪにコマンドＣ８が設定される。
【００７７】
（６）  シナリオ実行処理１８１０は、次にシナリオ管理１８１１にＬ１１を読み込んで実行する。Ｌ１１は、操作者が再生管理装置１１１０のマウス２８０を操作してマウス２８０を範囲Ａを移動したらアクションＡを実行するコマンドなので、シナリオ実行処理１８１０は、入力管理処理１８３０にマウス２８０が範囲Ａを移動したらアクションＡを実行するように登録する。次にＬ１２、Ｌ１３を読み込んで同じように入力管理処理１８３０にアクションＢ、アクションＣを範囲Ｂ、Ｃをマウスが移動した場合といっしょに登録する。
【００７８】
（７）  シナリオ実行処理１８１０は、次にシナリオ管理１８１１にＬ１４を読み込んで実行する。Ｌ１４は、操作者が再生管理装置１１１０のマウス２８０を操作してマウス２８０を範囲ＡでクリックしたらアクションＤを実行するコマンドなので、シナリオ実行処理１８１０は、入力管理処理１８３０にマウス２８０が範囲ＡでクリックされたらアクションＡを実行するように登録する。次にＬ１５、Ｌ１６を読み込んで同じように入力管理処理１８３０にアクションＥ、アクションＦを範囲Ｂ、Ｃをマウスがクリックされた場合といっしょに登録する。Ｌ１７以降は、アクションＡ、Ｂ、Ｃ、Ｄ、Ｅ、Ｆの関数なので関数呼び出しされるまで実行されない。以後、シナリオ実行処理１８１０は、実行するコマンドが無いので待機する。
【００７９】
（８）  マウス２８０は範囲Ａを移動したら、入力管理処理１８３０は、アクションＡを実行する様にシナリオ実行処理１８１０を呼び出す。シナリオ実行処理１８１０は、呼び出されるとアクションＡの中にあるコマンドを順に実行する。Ｌ２９はカーソルを移動位置に表示するコマンドＣ１５を画像表示装置１Ｇに設定するコマンドなので、シナリオ実行処理１８１０は、状態管理処理１８６０にコマンドＣ１５を設定するようにコマンドを発行する。状態管理処理１８６０は、受け取ったコマンドＣ１５を接続された画像表示装置１Ｇに転送する。これにより、マウス２８０を範囲Ａの中で移動させると、それに合わせて画像表示装置１Ｇでカーソルが移動する。同じく、マウス２８０が範囲Ｂ、Ｃを移動したら、アクションＢ、Ｃが実行され、画像表示装置１Ｈ、１Ｊでマウス２８０の移動に合わせてカーソルが移動する。以上の動作で、範囲Ａ、Ｂ、Ｃが、図１２のマルチ画面ディスプレイ７２０の１Ｇ、１Ｈ、１Ｊ表示範囲と同じにレイアウトされていれば、マウス２８０をＡ，Ｂ、Ｃ範囲を順に移動させると、マルチ画面ディスプレイ７２０の１Ｇ、１Ｈ、１Ｊ表示範囲を順にカーソルが移動する。すなわち、再生管理装置１１１０でマウスを移動操作すると、それに合わせてマルチ画面ディスプレイ７２０上でカーソルが移動する動作となる。
【００８０】
（９）  マウス２８０が範囲Ａでクリックされたら、入力管理処理１８３０は、アクションＤを実行する様にシナリオ実行処理１８１０を呼び出す。シナリオ実行処理１８１０は、呼び出されるとアクションＤの中にあるコマンドを順に実行する。Ｌ３７は、画像表示装置１Ｇに対して設定されたコマンドを同時に実行させるコマンドで、シナリオ実行処理１８１０は、状態管理処理１８６０に対して同時実行コマンドＣ３０を発行する。状態管理処理１８６０は、コマンドを受け取ると接続された画像表示装置１Ｇに同時実行コマンドを転送する。これにより、マルチ画面ディスプレイ７２０の１Ｇ表示範囲で効果Ａが３秒実行され、画像Ｄが表示される。同じく、マウス２８０が範囲Ｂでクリックされたら、アクションＥが実行され、マルチ画面ディスプレイ７２０の１Ｇ、１Ｈ表示範囲で効果Ａ、Ｂが３秒実行され画像Ｄ、Ｅが表示される。同じく、マウス２８０が範囲Ｃでクリックされたら、マルチ画面画面ディスプレイ７２０の１Ｇ、１Ｈ、１Ｊ表示範囲で効果Ａ、Ｂ、Ｃが３秒で実行され画像Ｄ、Ｅ、Ｆが表示される。
【００８１】
以上、説明したように再生管理装置１１１０が複数の画像表示装置１Ｆ、１Ｇ、１Ｈ、１Ｊ、１Ｋを監視し、各画像表示装置にコマンド発行して再生管理することによって、以下の効果を実現する。
（１）  複数の画像表示装置の持つファイルを管理し、シナリオを実行する前にシナリオで使用しているファイルと比較し、足らないファイルは事前に転送しておくことにより、シナリオを問題無く実行することができる。
（２）  運用シナリオを作成実行することで、複数の画像表示装置で決められた時間に決められた画像や音声やシナリオを再生することができる。
（３）  同期実行シナリオを作成実行することで、複数の画像表示装置で同時に画像を表示したり効果を実行したりできる。
（４）  同期実行シナリオを作成実行することで、複数の画像表示装置間を移動するカーソルを表示することができる。
上記実施例では、シナリオを画像表示装置で実行する前にファイルの存在を調べて、足らないファイルをシナリオ実行前に転送しているが、ネットワークの転送能力とシナリオの再生時間を判定して、いちいち転送しても問題無い場合は、ファイルの事前転送は必要ない。
【００８２】
また、シナリオ実行前にファイルの事前転送を行うとシナリオ実行開始に時間がかかるのが問題になる場合は、図１０に示したシナリオテストコマンドＣ３１を用いて、シナリオを実行する前に足らないファイルの転送を済ましておく。シナリオテストコマンドＣ３１は、指定されたシナリオを問題無く実行できるか調査して、足らないファイルがあるとそのファイルを実行する画像表示装置に転送記録するコマンドである。
また、上記実施例では、シナリオを作成して再生管理装置１１１０で複数の画像表示装置の再生を管理しているが、画像表示装置に限らずネットワーク１１００上の他の装置、データベース装置１Ｄやマルチメディア編集装置１Ｅ等を制御しても構わない。この時、図１０に示したコマンド報告コマンドＣ３２を用いて、制御する装置で実行できるコマンドを調べて適応的に制御を行う。コマンド報告コマンドＣ３２は、未知の装置で実行できるすべてのコマンドを調べることができる。
また、画像表示装置（たとえば１Ｆ）に再生管理処理１７００を搭載して、画像表示装置１Ｆが自分用のコマンドを実行すると共に、他の画像表示装置の再生管理を行うことで、ネットワーク１１００上に再生管理装置１１１０はなくても構わない。
【００８３】
さらに、図１０に示した画像転送コマンドＣ７を用いて、ネットワーク１１００上の画像表示装置間で、画像をやり取りするコミュニケーションシステムを構築してもよい。たとえば、画像表示装置１Ｆで表示している画像を画像表示装置１Ｋへ転送して表示する場合、画像表示装置１Ｆで操作者が画像表示装置１Ｋへ画像メモリ６１０の範囲Ｄの画像を画像表示装置１Ｋへ転送する指示を受けると、画像表示装置１Ｆのコマンド処理装置１０１０は、画像メモリ６１０の範囲Ｄの画像を画像処理プロセッサ５１０Ａで画像圧縮して取り出すように処理し、取り出された画像を画像転送コマンドＣ７で画像表示装置１Ｋへ転送する。画像表示装置１Ｋは、画像転送コマンドＣ７を受け取ると、転送されてきた圧縮画像データを画像表示装置１Ｋの画像プロセッサ５１０Ａで伸長して、表示されている画像メモリ（たとえば画像メモリ６１０）に書き込み表示する。これにより、画像の圧縮伸長を専用のプロセッサが行い、ネットワーク上を圧縮された画像データが転送されるので、高速でレスポンスのよい画像を用いたコミュニケーションを行うことができる。
【００８４】
【発明の効果】
以上、詳細に説明したように、データ転送速度の比較的遅いパソコンの標準的な入出力バスであるシステムバスに、高速なデータ転送の可能な専用バスであるイメージバスと、さらに画像メモリから高速度でデータを読み出すことのできる信号線をそれぞれ独立に配置させたことにより、本発明の画像表示装置は以下の効果を奏する。
（１）圧縮された画像データと、これを伸長した画像データとはシステムバスを共用することなく、圧縮画像データはシステムバスを、又、伸長画像データは専用のイメージバスをそれぞれ利用するため、画像表示のデータ転送のスループットが向上して高速処理が行える。
（２）パソコン等の小型コンピュータと画像処理部を同一の筐体内に実装すれば、信号伝搬遅れを小さくでき、コストパフォーマンスの高い画像表示装置を得ることができる。
（３）画像メモリを小型コンピュータの主メモリの拡張メモリとして使用すれば、メモリ利用効率が向上し、コストパフォーマンスの高い画像表示装置を得ることができる。
（４）汎用品であるパーソナルコンピュータ等を画像表示装置のベースマシンとして用い、光磁気ディスク装置、ＣＤ−ＲＯＭ装置及びスキャナなどの周辺機器をベースマシン側に接続したため、周辺機器の性能向上等に伴う画像処理部での制御ソフトの作成や変更が不要となる。
（５）さらに、ネットワークを利用してデータ量の多い高精細画像を表示することができる。
【図面の簡単な説明】
【図１】本発明の画像表示装置の一実施例のシステム構成を示すブロック図。
【図２】画像表示データの作成プロセスを示す説明図。
【図３】画像ファイルのデータ内容を示す説明図。
【図４】図１のシステム内で使われた画像メモリリード／ライト制御器の回路構成を示すブロック図。
【図５】図１のシステム内で使われたビデオ処理器の回路構成を示すブロック図。
【図６】本発明の画像表示装置の他の実施例のシステム構成を示すブロック図。
【図７】本発明の画像表示装置の更に他の実施例のシステム構成を示すブロック図。
【図８】図１の画像処理部を機能させるための画図処理プログラムの機能構成図。
【図９】本発明の画像表示装置の更に他の実施例のシステム構成を示すブロック図。
【図１０】図９の画像表示装置の制御コマンドを示す説明図。
【図１１】ファイルサーバの構成図。
【図１２】マルチメディアネットワークシステムの構成図。
【図１３】図９の画像表示装置にデータベース処理を追加したブロック図。
【図１４】データベース処理の作動を示す説明図。
【図１５】図９の画像表示装置にマルチメディア編集処理を追加したブロック図。
【図１６】マルチメディア編集処理の作動を示す説明図。
【図１７】図１１のファイルサーバに再生管理処理を追加したブロック図。
【図１８】再生管理処理の作動を示す説明図。
【図１９】複数の画像表示装置を管理するシナリオの説明図。
【図２０】複数の画像表示装置を同時に再生管理処理するシナリオの説明図。
【符号の説明】
１，１Ａ，１Ｂ  画像表示装置
１００  パソコンシステム
１５０  システムバス
２００  パソコン
２１０  ＣＰＵ
２２０  主メモリ
２４０  グラフィックディスプレイ
３００  光磁気ディスク装置
３３０  スキャナ
３４０  フルカラープリンタ
５００，５００Ａ，５００Ｂ  画像処理部
５１０  画像データ圧縮／伸長手段
５１０Ａ  画像処理プロセッサ
５２０  画像メモリリード／ライト制御手段
５５０  イメージバス
６１０，６２０，６３０  画像メモリ
６５０  ビデオ処理手段
６５０Ａ  ビデオ処理プロセッサ
７００  大画面ディスプレイ
８００  原画
８６０  画像ファイル
１０００  通信装置
１０１０  コマンド処理装置
１０２０  音声処理装置
１０３０  ネットワーク
１０４０  ファイルサーバ装置
【図１】
0003690916.tif 000002
【図２】
0003690916.tif 000003
【図３】
0003690916.tif 000004
【図４】
0003690916.tif 000005
【図５】
0003690916.tif 000006
【図６】
0003690916.tif 000007
【図７】
0003690916.tif 000008
【図８】
0003690916.tif 000009
【図９】
0003690916.tif 000010
【図１０】
0003690916.tif 000011
【図１１】
0003690916.tif 000012
【図１２】
0003690916.tif 000013
【図１３】
0003690916.tif 000014
【図１４】
0003690916.tif 000015
【図１５】
0003690916.tif 000016
【図１６】
0003690916.tif 000017
【図１７】
0003690916.tif 000018
【図１８】
0003690916.tif 000019
【図１９】
0003690916.tif 000020
【図２０】
0003690916.tif 000021